(57)【特許請求の範囲】
【請求項１】
ズームレンズを通して撮影された被写体像を蓋によって覆われる装着部に装着された記録媒体に記録する記録手段、
電源オフ操作に応答して電源をオフする第１オフ手段、
前記第１オフ手段のオフ動作に関連して前記ズームレンズを初期位置に配置する配置手段、
前記ズームレンズの位置を示すレンズ位置情報を前記蓋の開動作を形成する第１動作に応答して退避させる退避手段、
前記蓋の開動作を形成しかつ前記第１動作の後に行われる第２動作に応答して前記電源をオフする第２オフ手段、
前記電源がオフされた原因が前記蓋の開動作であるか否かを判別する判別手段、および
前記判別手段の判別結果が肯定的であるとき前記退避手段によって退避されたレンズ位置情報を前記電源のオン動作に応答して復帰させる復帰手段を備える、ディジタルカメラ。
【請求項２】
前記第１動作は前記蓋の開動作を形成する最初の動作である、請求項１記載のディジタルカメラ。
【請求項３】
ズーム操作に応答して前記ズームレンズを光軸方向に移動させる移動手段、
前記ズームレンズの位置を示す係数を保持するレジスタ、および
前記レジスタに保持された係数を前記ズーム操作に応答して更新する更新手段をさらに備え、
前記退避手段は前記レジスタに保持された係数を前記レンズ位置情報として退避させる、請求項１または２記載のディジタルカメラ。
【請求項４】
前記復帰手段は前記レンズ位置情報を前記レジスタに設定する、請求項３記載のディジタルカメラ。
【発明の詳細な説明】
【０００１】
【産業上の利用分野】
この発明は、ディジタルカメラに関し、特に撮影された被写体の画像データをメモリカードのような着脱可能な記録媒体に記録する、ディジタルカメラに関する。
【０００２】
【従来の技術】
メモリカードの記録容量には限界があるため、容量が一杯になったときは、現メモリカードを取り出して別のメモリカードを装着する必要がある。ただし、電源オンの状態でメモリカードを取り出すと、記録されたデータが破壊されるおそれがある。このため、従来のディジタルカメラでは、メモリカードの収納蓋の開動作に応答して電源がオフされていた。
【０００３】
【発明が解決しようとする課題】
しかし、電源がオフされると、収納蓋を開く直前に設定されていた撮影条件データが消去されてしまう。つまり、たとえばズームレンズが所望の位置にセットされた状態でメモリカードの収納蓋が開かれると、電源がオフされ、現在のレンズ位置情報（ズーム倍率情報）が消去されてしまう。さらに、新たなメモリカードが装着され電源が投入された後、ズームレンズは初期位置に戻される。このため、オペレータは、ズーム倍率のような撮影条件を改めて設定する必要があった。
【０００４】
それゆえに、この発明の主たる目的は、撮影条件を再設定する必要のない、ディジタルカメラを提供することである。
【０００５】
【課題を解決するための手段】
この発明に従うディジタルカメラは、ズームレンズを通して撮影された被写体像を蓋によって覆われる装着部に装着された記録媒体に記録する記録手段、電源オフ操作に応答して電源をオフする第１オフ手段、第１オフ手段のオフ動作に関連してズームレンズを初期位置に配置する配置手段、ズームレンズの位置を示すレンズ位置情報を蓋の開動作を形成する第１動作に応答して退避させる退避手段、蓋の開動作を形成しかつ第１動作の後に行われる第２動作に応答して電源をオフする第２オフ手段、電源がオフされた原因が蓋の開動作であるか否かを判別する判別手段、および判別手段の判別結果が肯定的であるとき退避手段によって退避されたレンズ位置情報を電源のオン動作に応答して復帰させる復帰手段を備える。
【０００６】
【作用】
ズームレンズを通して撮影された被写体像は、蓋によって覆われる装着部に装着された記録媒体に、記録手段によって記録される。電源は、電源オフ操作に応答して第１オフ手段によってオフされる。配置手段は、第１オフ手段のオフ動作に関連してズームレンズを初期位置に配置する。
退避手段は、ズームレンズの位置を示すレンズ位置情報を蓋の開動作を形成する第１動作に応答して退避させる。電源は、蓋の開動作を形成しかつ第１動作の後に行われる第２動作に応答して、第２オフ手段によってオフされる。
電源がオフされた原因が開動作であるか否かは、判別手段によって判別される。復帰手段は、判別結果が肯定的であるとき、退避手段によって退避されたレンズ位置情報を電源のオン動作に応答して復帰させる。
【０００７】
この発明のある局面では、第１動作は蓋の開動作を形成する最初の動作である。
【０００８】
この発明の他の局面では、ズーム操作が行われると、移動手段がズームレンズを光軸方向に移動させる。また、更新手段が、レジスタに保持されたズームレンズの位置を示す係数をズーム操作に応答して更新する。退避手段は、このようなレジスタの係数をレンズ位置情報として退避させる。
【０００９】
この発明のある実施例では、復帰手段はレンズ位置情報をレジスタに設定する。
【００１０】
【発明の効果】
この発明によれば、蓋の開動作を形成する第１動作が行われたときにズームレンズの位置情報を退避させるようにしたため、次回の電源投入時にこの位置情報を用いることで、ズームレンズを初期位置に戻すプロセスが不要となる。つまり、オペレータは、ズームレンズを移動させて撮影条件を設定し直す必要がない。
【００１１】
この発明の上述の目的，その他の目的，特徴および利点は、図面を参照して行う以下の実施例の詳細な説明から一層明らかとなろう。
【００１２】
【実施例】
図１を参照して、この実施例のディジタルカメラ１０は、ズームレンズ１２を含む。被写体の光像は、このズームレンズ１２を通してＣＣＤイメージャ１４の受光面に照射される。
【００１３】
オペレータがズームボタン２８を操作すると、システムコントローラ２６は、対応する制御信号をドライバ２４に与えて、ズームレンズ１２を光軸方向に移動させる。システムコントローラ２６はまた、ズームボタン２８の操作に応答してズームカウンタ（レジスタ）２６ａのカウント値を更新する。ズームボタン２８がテレ側に操作されると、システムコントローラ２６はズームレンズ１２を被写体側に動かすとともに、ズームカウンタ２６ａをインクリメントする。一方、ズームボタン２８がワイド側に操作されると、システムコントローラ２６はズームレンズ１２をＣＣＤイメージャ１４側に動かすとともに、ズームカウンタ２６ａをディクリメントする。
【００１４】
ズームカウンタ２６ａのカウント値は、ズームレンズ１２が最もワイド側（ＣＣＤイメージャ側）にあるときに“０”をとり、ズームレンズ１２がテレ側に移動するにつれて大きくなる。ズームレンズ１２が最もテレ側（被写体側）に移動すると、カウント値は“１００”を示す。このように、ズームカウンタ２６ａのカウント値はズームレンズ１２の位置に応じて変化する。したがって、ズームカウンタ２６ａに保持されたカウント値が、ズームレンズ１２の位置情報（レンズ位置情報）となる。
【００１５】
オペレータによってシャッタボタン３０が押されると、システムコントローラ２６はタイミングジェネレータ（図示せず）を能動化する。タイミングジェネレータはＣＣＤイメージャ１４をプログレッシブスキャン方式で駆動し、これによって、シャッタンボタン３０が押された時点の被写体の画像信号がＣＣＤイメージャ１４から出力される。ＣＣＤイメージャ１４から出力された画像信号は、信号処理回路１６でＹＵＶ変換やＪＰＥＧ圧縮等の信号処理を施される。このような処理が施された画像信号は、インタフェース１８を介して、着脱可能なメモリカード２０に記録される。
【００１６】
図２を参照して、カメラ本体４０の底面には板状の蓋２２が設けられている。蓋２２は長さ方向一端においてカメラ本体４０に軸支され、蓋２２の内側面には略Ｌ字状のフック２２ａが形成されている。蓋２２が完全に閉じられた状態では、このフック２２ａがカメラ本体４０の内側に形成された孔４２に係合する。蓋２２を（１）の方向にスライドさせると、フック２２ａが孔４２から引き出される。スライド動作の後に蓋２２を（２）の方向に押し上げると、蓋２２は長さ方向一方端を軸として回動する。これによって、蓋２２が全開状態となる。一方、全開状態にある蓋２２を図３に示す（３）の方向に引き下げると、蓋２２は上述と逆の方向に回動する。その後、蓋２２を（４）の方向にスライドさせると、フック２２ａが孔４２に係合し、これによって蓋２２が全閉状態となる。
【００１７】
このように、蓋２２は、（１）の方向にスライドさせるステップと（２）の方向に押し上げるステップを経て全開状態となり、（３）の方向に引き下げるステップと（４）の方向にスライドさせるステップを経て全閉状態となる。
【００１８】
スロット４４は全閉状態のときに蓋２２によって完全に覆われ、全開状態のときに完全に露出する。蓋２２を開いてメモリカード２０をスロット４４に挿入すると、メモリカード２０側の端子がインタフェース１８の端子と接続される。逆に、メモリカード２０をスロット４４から引き出すと、インタフェース１８との接続が解除される。このように、メモリカード２０は、カメラ本体４０に対して着脱自在となる。
【００１９】
図１に戻って、スイッチＳＷ１およびＳＷ２は、蓋２２の開動作および閉動作に連動する。具体的には、蓋２２が（１）の方向にスライドされるとスイッチＳＷ１がオフされ、蓋２２が（２）の方向に押し上げられるとスイッチＳＷ２がオフされる。また、蓋２２が（３）の方向に引き下げられるとスイッチＳＷ２がオンされ、蓋２２が（４）の方向にスライドされるとスイッチＳＷ１がオンされる。つまり、スイッチＳＷ１は蓋２２のスライドに連動してオン／オフされ、スイッチＳＷ２は蓋２２の回動に連動してオン／オフされる。
【００２０】
スイッチＳＷ１はバックアップ電源３８と電源コントロール用のサブマイコン３４との間に設けられ、スイッチＳＷ２もまたバックアップ電源３８とサブマイコン３４の間に設けられる。さらに、スイッチＳＷ１のサブマイコン３４側端子と接地面との間に抵抗Ｒ１が設けられ、スイッチＳＷ２のサブマイコン３４側端子と接地面との間に抵抗Ｒ２が設けられる。このため、スイッチＳＷ１がオン／オフされると抵抗Ｒ１の端子電圧が変動し、スイッチＳＷ２がオン／オフされると抵抗Ｒ２の端子電圧が変動する。サブマイコン３４は、バックアップ電源３８が供給される間、抵抗Ｒ１およびＲ２の端子電圧を取り込み、これによってスイッチＳＷ１およびＳＷ２の状態を認識する。
【００２１】
バッテリ３２はバックアップ電源３８と直接的に接続され、バックアップ電源３８はバッテリ３２によって常に充電される。バッテリ３２はまた、スイッチＳＷ３を介してシステムコントローラ２６を含むシステム全体と接続される。スイッチＳＷ３はサブマイコン３４によってオン／オフされ、スイッチＳＷ３がオンされると、システム全体が起動される。なお、サブマイコン３４は、スイッチＳＷ３のオン／オフに関係なく常に起動している。サブマイコン３４は図４および図５に示すフロー図に従って動作し、システムコントローラ２６は図６に示すフロー図に従って動作する。
【００２２】
図４を参照して、サブマイコン３４は、まずステップＳ１で電源ボタン３６がオンされたかどうか判断し、ＹＥＳであれば、ステップＳ３およびＳ５のそれぞれでスイッチＳＷ１およびＳＷ２がオン状態であるかどうか判断する。そして、スイッチＳＷ１およびＳＷ２のいずれもオン状態のときに限り、つまり蓋２２が全閉状態のときに限り、ステップＳ９に進む。ステップＳ９ではスイッチＳＷ３をオンし、これによってシステム全体が起動される。
【００２３】
サブマイコン３４は続いて、ステップＳ１１でフラグＦ１の状態を判定する。フラグＦ１のセット状態は、前回の電源オフが電源ボタン３６の操作によって行なわれたことを示し、フラグＦ１のリセット状態は、前回の電源オフが蓋２２の開動作によって行なわれたことを示す。このため、フラグＦ１がセットされていれば、サブマイコン３４は直接ステップＳ１９に進む。一方、フラグＦ１がリセットされていれば、サブマイコン３４はステップＳ１３でＤＲＡＭ３４ａからレンズ位置情報を読み出し、続くステップＳ１５で、読み出したレンズ位置情報ををレンズ位置の調整要求とともにシステムコントローラ２６に出力する。そして、ステップＳ１９に進む。
【００２４】
ステップＳ１９では、フラグＦ２をリセットする。続いて、ステップＳ２１およびＳ２３のそれぞれで、電源ボタン３６がオフされたかどうか、およびスイッチＳＷ１がオフ状態であるかどうかを判断する。ステップＳ２１およびＳ２３のいずれもＮＯの場合、サブマイコン３４はステップＳ１９に戻る。つまり、電源オン状態および蓋２２の全閉状態が続く限り、ステップＳ１９の処理を繰り返す。
【００２５】
オペレータが蓋２２を図２に示す（１）の方向にスライドさせると、スイッチＳＷ１がオフされる。すると、サブマイコン３４はステップＳ２３からステップＳ２５に進み、フラグＦ２状態を判定する。ここでフラグＦ２がセットされていれば、サブマイコン３４はそのままステップＳ３５に進む。一方、フラグＦ２がリセットされていれば、ステップＳ２７でレンズ位置情報の転送をシステムコントローラ２６に要求し、さらにレンズ位置情報が転送されたかどうかをステップＳ２９で判断する。ステップＳ２９でＹＥＳであれば、サブマイコン３４はステップＳ３１に進み、転送されたレンズ位置情報をＤＲＡＭ３４ａに格納する。そして、ステップＳ３３でフラグＦ２をセットしてからステップＳ３５に進み、スイッチＳＷ２がオフ状態であるかどうか、つまり蓋２２が図３に示す（３）の方向に押し上げられたかどうかを判断する。
【００２６】
スイッチＳＷ２がオン状態であれば、蓋２２は（１）の方向にスライドされたものの未だ全開状態ではない。このとき、サブマイコン３４はステップＳ２３に戻る。ただし、フラグＦ２はセットされているため、ステップＳ２７〜Ｓ３３は処理されない。この後、蓋２２が全開されることなく再び全閉状態となれば、ステップＳ１９の処理が繰り返される。なお、フラグＦ２のセット状態は、レンズ位置情報のＤＲＡＭ３４ａへの書き込みが完了したことを示す。
【００２７】
一方、蓋２２が完全に開かれれば、スイッチＳＷ２がオフ状態となり、ステップＳ３５でＹＥＳと判断される。すると、サブマイコン３４は、ステップＳ３７でフラグＦ１をリセットするとともに、ステップＳ３９でスイッチＳＷ３をオフし、その後ステップＳ１に戻る。
【００２８】
蓋２２の開動作を行なうことなく、あるいは蓋２２を途中まで開いた状態で電源ボタン３６をオフすると、サブマイコン３４はステップＳ２１でＹＥＳと判断する。このとき、サブマイコン３４はステップＳ４１に進み、レンズ位置の初期化をシステムコントローラ２６に要求する。これに対して、システムコントローラ２６から初期化の完了信号が入力されると、サブマイコン３４はステップＳ４３でＹＥＳと判断し、ステップＳ４５でフラグＦ１をセットする。その後、ステップＳ３９でスイッチＳＷ３をオフし、ステップＳ１に戻る。
【００２９】
図６を参照して、システムコントローラ２６は、ステップＳ５１でレンズ位置の調整要求がサブマイコン３４から入力されたかどうか判断する。ここでＹＥＳであれば、システムコントローラ２６はステップＳ５３およびＳ５４を処理する。つまり、レンズ位置調整要求ともに入力されたレンズ位置情報（カウント値）をステップＳ５４でズームカウンタ２６ａに設定し、同じレンズ位置情報に従ってズームレンズ１２を移動させる。これによって、ズーム倍率が所望の値に設定される。レンズ位置の調整が完了すると、ステップＳ５１に戻る。
【００３０】
ステップＳ５１でＮＯと判断された場合、システムコントローラ２６はステップＳ５５に進む。このステップでは、レンズ位置情報の転送要求がサブマイコン３４から入力されたどうかを判断する。ここでＹＥＳであれば、システムコントローラ２６はステップＳ５７に進み、ズームカウンタ２６ａのカウント値つまり現レンズ位置情報をサブマイコン３４に転送する。転送が完了すると、ステップＳ５１に戻る。
【００３１】
ステップＳ５５でＮＯと判断された場合、システムコントローラ２６はステップＳ５９に進む。ステップＳ５９では、レンズ位置の初期化要求がサブマイコン３４から入力されたかどうかを判断する。ここでＹＥＳであれば、システムコントローラ２６は、ステップＳ６１でズームレンズ１２を初期位置に移動させ、ステップＳ６２で初期化の完了信号をサブマイコン３４に出力する。そして、ステップＳ５１に戻る。
【００３２】
ステップＳ５９でＮＯと判断された場合、システムコントローラ２６は、ステップＳ６３でズームボタン２８が操作されたかどうか判断する。ここでＹＥＳであれば、システムコントローラ２６は、ステップＳ６５でボタン操作に応じてズームカウンタ２６ａを更新し、ステップＳ６６でボタン操作に応じズームレンズ１２を移動させる。移動が完了すると、ステップＳ５１に戻る。
【００３３】
ステップＳ６３でＮＯと判断された場合、システムコントローラ２６はステップＳ６７に進み、シャッタボタン３０が押されたかどうかを判断する。ここでＹＥＳであれば、ステップＳ１９で撮影処理を行なう。これによって、シャッタボタン３０が押された時点の被写体像が、メモリカード２０に記録される。撮影処理が完了すると、ステップＳ５１に戻る。なお、ステップＳ６７でＮＯと判断されると、システムコントローラ２６は何の処理も行なわずにステップＳ５１に戻る。
【００３４】
ズームレンズ１２が初期位置にセットされかつ蓋２２が閉じられている状態でオペレータが電源ボタン３６をオンすると、スイッチＳＷ３がオン状態となり、システムコントローラ２６を含むシステム全体が起動される。オペレータがズームボタン２８を操作すると、システムコントローラ２６によってズームカウンタ２６ａおよびドライバ２４が制御される。ズームカウンタ２６ａのカウント値は更新され、ズームレンズ１２は光軸方向に移動する。ズームレンズ１２が所望の位置にセットされたときに、シャッタボタン３０が押されると、被写体像が所望のズーム倍率で撮影される。撮影された被写体の画像信号は、所定の信号処理を経てメモリカード２０に記録される。
【００３５】
このような撮影処理の後、メモリカード２０を交換するために蓋２２を開くと、スイッチＳＷ１およびＳＷ２がオフされる。蓋２２を図３の（１）の方向にスライドさせた時点で、まずスイッチＳＷ１がオフされる。すると、レンズ位置情報の転送要求がサブマイコン３４からシステムコントローラ２６に与えられる。システムコントローラ２６は、この要求に応答してズームカウンタ２６ａのカウント値（レンズ位置情報）をサブマイコン３４に返送する。返送されたレンズ位置情報は、サブマイコン３４によってＤＲＡＭ３４ａに書き込まれる。さらに、書き込み終了後に、フラグＦ２がセットされる。
【００３６】
蓋２２が（１）の方向にスライドされた後も（２）の方向に押し上げられなければ、スイッチＳＷ２はオフされず、スイッチＳＷ１の状態の判定（オフ状態との判定）が繰り返される。ただし、レンズ位置情報に書き込みは既に完了し、このことを示すフラグＦ２がセットされているため、レンズ位置情報が改めて書き込まれることはない。蓋２２が（１）の方向にスライドされた後、全閉状態に戻ると、フラグＦ２はリセットされる。このため、次のスライド時は、レンズ位置情報の書き込み処理が行なわれる。蓋２２がスライド動作の後に全開されると、フラグＦ１のリセット処理を経てスイッチＳＷ３がオフされる。これによって、サブマイコン３４以外の全てのシステムがオフされる。
【００３７】
別のメモリカード２０をスロット４４に装着して蓋２２を完全に閉じ、電源ボタン３６をオンすると、サブマイコン３４がスイッチＳＷ３をオンする。これによって、システム全体がオンされる。フラグＦ１は、上述の蓋２２の開動作によってリセット状態となっている。このため、サブマイコン３４は、ＤＲＡＭ３４ａからレンズ位置情報を読み出し、このレンズ位置情報をレンズ位置調整要求とともにシステムコントローラ２６に出力する。システムコントローラ２６は入力されたレンズ位置情報（カウント値）をズームカウンタ２６ａに設定する。これによって、ズームレンズ１２の位置とズームカウンタ２６ａのカウント値とのずれが解消される。
【００３８】
電源が投入されている状態で電源ボタン３６をオフ状態にすると、サブマイコン３４はレンズ位置の初期化要求をシステムコントローラ２６に与える。システムコントローラ２６は、この初期化要求に応答してズームレンズ１２を初期位置に戻し、初期化完了信号をサブマイコン３４に返送する。サブマイコン３４は、初期化完了信号に応答して、フラグＦ１をセットするとともにスイッチＳＷ３をオフする。したがって、電源は、ズームレンズ１２が初期位置に戻された後にオフされる。
【００３９】
この実施例によれば、蓋が開かれると、ズームレンズが初期位置に戻されることなく電源がオフされる。ただし、電源がオフされる前に、ズームカウンタのカウント値つまりレンズ位置情報がＤＲＡＭに格納される。蓋が閉じられ、電源が投入されると、ＤＲＡＭからレンズ位置情報が読み出され、このデータがズームカウンタに設定される。
【００４０】
従来は、蓋の開動作によって電源がオフされるとき、レンズ位置情報を確保しておくような処理は行っていなかった。このため、次回の電源投入時に、ズームカウンタをリセットするとともにズームレンズを初期位置に戻し、これによってカウント値とレンズ位置との間のずれを解消していた。このため、従来技術では、電源投入後に改めてズーム倍率を調整する必要があった。これに対して、この実施例では、蓋が開かれたときに、レンズ位置情報を内部メモリに書き込んでから電源をオフするようにしている。このため、カウント値とレンズ位置との間にずれが生じることがなく、電源の投入時にズームレンズを初期位置に戻す必要もない。つまり、電源投入後にズーム倍率を改めて調整する必要はない。
【００４１】
なお、この実施例では、レンズ位置情報をサブマイコン側のＤＲＡＭに格納するようにしたが、システムコントローラ側にフラッシュメモリのような不揮発性メモリを設け、このメモリにレンズ位置情報を格納するようにしてもよい。
【００４２】
また、この発明の記録媒体としては、スマートメディア，コンパクトフラッシュ，メモリスティック，マルチメディアカード，マイクロドライブ，フロッピーディスク，ＤＶＤ（Ｄｉｇｉｔａｌ  Ｖｅｒｓａｔｉｌｅ  Ｄｉｓｃ），ＭＤ（Ｍｉｎｉ  Ｄｉｓｃ）などのあらゆる着脱可能な記録媒体を適用できる。
【００４３】
さらに、この実施例の蓋は、オペレータから加えられる外力のみによって全開状態となる。つまり、蓋は、他力によって（１）の方向にスライドし、他力によって（２）の方向に押し上げられ、これによって全開状態となる。しかし、この発明の蓋は、複数ステップの開動作によって全開状態となる限り、いずれかのステップの開動作が自力によるものであってもよい。たとえば、オペレータが蓋の開レバーを操作したときに、蓋がバネなどの弾性力によって開かれる場合、蓋は、開レバーの移動ならびに蓋の回動の２つステップを経て全開される。ここで、開レバーは他力で移動し、蓋は自力で回動する。このような蓋にも、この発明を適用することができる。
【図面の簡単な説明】
【図１】この発明の一実施例を示すブロック図である。
【図２】蓋の開動作を示す図解図である。
【図３】蓋の閉動作を示す図解図である。
【図４】サブマイコンの動作の一部を示すフロー図である。
【図５】サブマイコンの動作の他の一部を示すフロー図である。
【図６】システムコントローラの動作の一部を示すフロー図である。
【符号の説明】
１０…ディジタルカメラ
１２…ズームレンズ
２０…メモリカード
２２…蓋
２４…ドライバ
２６…システムコントローラ
２８…ズームボタン
３４…サブマイコン
３４ａ…ＤＲＡＭ
【図１】
0003631048.tif 000002
【図２】
0003631048.tif 000003
【図３】
0003631048.tif 000004
【図４】
0003631048.tif 000005
【図５】
0003631048.tif 000006
【図６】
0003631048.tif 000007